(57)【要約】      （修正有）【課題】メモリユニットとマザーボートに別々に電力を供給することにより、起電時の異常な電圧変動を抑制するようにしたデュアル電源のホスト装置を提供する。【解決手段】ハウジング１０と、前記ハウジング内に配置されるマザーボード２０と、前記マザーボードに電気的に接続される少なくとも一つのメモリユニット３０と、前記マザーボードと前記メモリユニットに電気的に接続され、前記マザーボードと前記メモリユニットに電源を供給する二つのパワーサプライ４０を設ける。また、前記マザーボード、前記メモリユニット及び前記パワーサプライに電気的に接続され、起動信号を受けた時にまずその一方の前記パワーサプライを駆動して前記メモリユニットの起動動作の瞬間及びその後の動作に必要な電圧を供給させ、そして他方の前記パワーサプライを駆動して前記マザーボードの起動動作の瞬間及その後の動所に必要な電圧を供給させるよう制御する制御ユニット５０とを含んでいる。【選択図】図２
0003174581.tif 000002
【実用新案登録請求の範囲】
【請求項１】
デュアル電源のホスト装置であって、
内部に配置スペースが形成されたハウジングと、 
回路基板であって、且つ前記ハウジング内に配置されたマザーボードと、
前記ハウジング内に配置され、且つ前記マザーボードに電気的に接続される少なくとも一つのメモリユニットと、
前記ハウジング内に配置され、且つそれぞれに前記マザーボードと前記メモリユニットに電気的に接続されることによって、前記マザーボードと前記メモリユニットの動作に必要な電源を供給する二つのパワーサプライと、
対応して前記マザーボード、前記メモリユニット及び前記パワーサプライに電気的に接続され、起動信号を受けた時に、まず一方の前記パワーサプライを駆動して前記メモリユニットを起動する瞬間に必要な電圧を供給させ、その後他方の前記パワーサプライを駆動して前記マザーボードの起動瞬間に必要な電圧を供給させるよう制御する制御ユニットとを含むことを特徴とするデュアル電源のホスト装置。
【請求項２】
前記制御ユニットは前記ハウジング内に配置されることを特徴とする、請求項１記載のデュアル電源のホスト装置。
【請求項３】
前記メモリユニットは少なくとも一つのハードディスク装置であることを特徴とする、請求項１記載のデュアル電源のホスト装置。
【請求項４】
前記配置スペースは、マザーボード配置スペースと、メモリ装置配置スペースと、電源配置スペースとに分けられることを特徴とする、請求項１記載のデュアル電源のホスト装置。
【請求項５】
前記マザーボードは前記ハウジング内の前記マザーボード配置スペースに配置されることを特徴とする、請求項４記載のデュアル電源のホスト装置。
【請求項６】
前記メモリユニットは前記ハウジング内の前記メモリ装置配置スペースに配置されることを特徴とする、請求項４記載のデュアル電源のホスト装置。
【請求項７】
前記パワーサプライは前記ハウジング内の前記電源配置スペースに配置されることを特徴とする、請求項４記載のデュアル電源のホスト装置。
【請求項８】
前記マザーボードには既にプロセッサーと、メモリと、画像処理回路とが設けられていることを特徴とする、請求項１記載のデュアル電源のホスト装置。
【考案の詳細な説明】
【技術分野】
【０００１】
本考案はデュアル電源のホスト装置に関するものであり、特に分離の電源を利用してホスト起動時にマザーボードとハードディスクにそれぞれ電源を供給し、瞬間の電圧出力が高すぎるのを防止するホスト装置に係わるものである。
【背景技術】
【０００２】
科学技術の進展に伴い、高効率化の演算処理機能を備えるコンピュータ系統を以て、日常生活又はオフィスの補助工具として、事務処理又は工程の計算等の用途に用いられるものが既に普及している。
【０００３】
一般的に、装置に取り付けられるコンピュータ系統では、演算機能を管理するマザーボード(Motherboard)と、データを格納するためのハードディスク(Hard Disk)と、電源を供給するためのパワーサプライ(Power Supply)等を備えている。また、通常、コンピュータ系統を起動する瞬間は、所要の駆動電圧が最も高く且つ不安定である。その主な原因は、系統を起動する時、パワーサプライが同時にマザーボードとハードディスクに電源を供給する必要があるためである。この瞬間的な電圧変動が、高すぎる電圧出力によるパワーサプライの障害になる主な要因の一つである。また、系統の電力消費程度は系統における電力負荷素子のトータル駆動電圧に従って増加されている。また、既存の系統は、要求に応じてメモリ、プロセッサー、ハードディスクなど各種の電子部品の数の増加に伴って高電圧のニーズが生じる。この場合、単独のパワーサプライのみで電圧を供給しようとするには、相当高いワット数（W数）のパワーサプライの使用が必要になるが、その値段が高いことだけでなく、単独のパワーサプライで所要の電圧を供給した場合、負荷が高すぎて危険を起こす恐れがあるため、このような設計にはまだ改善する余地がある。
【考案の概要】
【考案が解決しようとする課題】
【０００４】
本考案の考案人は、上述した問題をまとめて考え、既存の技術の欠点を改善でき、かつ産業上の増進や利用に寄与するデュアル電源のホスト装置を提供することを目的とする。
【０００５】
本考案は前記した既存の技術の欠点を鑑みてなされるもので、新規性及び進歩性、並びに産業上の利用可能性などを具え、実用新案登録要件に符合し、且つ既存技術の難点を克服するデュアル電源のホスト装置を提供することを主な目的としている。
【課題を解決するための手段】
【０００６】
上記の目的を達成するために、本考案によるデュアル電源のホスト装置は、内部に配置スペースが形成されたハウジングと、回路基板であって且つ前記ハウジング内に配置されたマザーボードと、前記ハウジング内に配置され、且つ前記マザーボードに電気的に接続される少なくとも一つのメモリユニットと、前記ハウジング内に配置され、且つそれぞれに前記マザーボードと前記メモリユニットに電気的に接続されることによって、前記マザーボードと前記メモリユニットの動作に必要な電源を供給する二つのパワーサプライと、対応して前記マザーボード、前記メモリユニット及び前記パワーサプライに電気的に接続され、起動信号を受けた時に、まず一方の前記パワーサプライを駆動して前記メモリユニットを起動する瞬間に必要な電圧を供給させ、その後他方の前記パワーサプライを駆動して前記マザーボードの起動瞬間に必要な電圧を供給させるよう制御する制御ユニットとを含んでいる。
【０００７】
また、前記制御ユニットは前記ハウジング内に配置され、前記メモリユニットは少なくとも一つのハードディスク装置であり、前記配置スペースは、マザーボード配置スペースと、メモリ装置配置スペース及び電源配置スペースとに分られる。また、前記マザーボードは前記ハウジング内の前記マザーボード配置スペースに配置される。また、前記メモリユニットは前記ハウジング内の前記メモリ装置配置スペースに配置される。また、前記パワーサプライは前記ハウジング内の前記電源配置スペースに配置される。また、前記マザーボードには既にプロセッサー、メモリ及び画像処理回路が設けられてある。
【考案の効果】
【０００８】
本考案によるデュアル電源のホスト装置は、その設計上の空間配置の変化によって、分離的に電源供給機能を備える二つのパワーサプライを提供し、系統ホスト起動の瞬間に、まずその一方のパワーサプライにより前記メモリユニットに電源が与えられ、その後、他方のパワーサプライにより前記マザーボードに対し電源が与えられる。この手段により、起動電圧の変化が過大でパワーサプライの負荷を加重させ、系統の使用寿命を低下させるのを避けられる。また、このような設計は、元々必要となる一つの高いワット数のパワーサプライが二つの一般のワット数のパワーサプライに取り替えられるため、設備コストの節約には役に立つ。何故なら、一般的に、高ワット数のパワーサプライの値段は二つの一般のワット数のパワーサプライを遥かに超えているためである。このほか、複数の電子部品それぞれに必要な電圧を安定的に出力し、系統全体の安定性を高めることができるため、内蔵して配置される電子部品の数が多すぎることが原因で系統電圧が不足又は不安定な事情を起こすのを心配する必要が無くなる。また、上記した目的、技術特徴及び実際に実施した後のメリットをもっと分かりやすくするため、以下には本考案の好ましい実施例を、関連する図面に基づいて詳細に説明する。
【図面の簡単な説明】
【０００９】
【図１】本考案のデュアル電源のホスト装置の配置を模式的に示す図である。
【図２】本考案のデュアル電源のホスト装置の実施例における連続動作を示す第１の模式図である。
【図３】本考案のデュアル電源のホスト装置の実施例における連続動作を示す第２の模式図である。
【実施例】
【００１０】
本考案の考案特徴、内容、利点及びその達し得る効果を了解して頂くため、ここに添付した図面に基づいて、実施例の表現形態を次のように説明する。尚、使用される図面は、本考案の模式的な表現及び明細書の補助用のみであるため、本考案の真実の比例及び精確な配置ではない。故に、本考案の請求範囲は添付図面の比例及び配置関係によって限定されないことを、予め言明する。
【００１１】
図１に示すように、本考案は一種のデュアル電源のホスト装置を提供する。その好ましい実施形態は、ハウジング(１０)と、マザーボード(２０)と、少なくとも一つのメモリユニット(３０)と、二つのパワーサプライ(４０)と、制御ユニット(５０)とを含んでも良い。
【００１２】
また、前記したハウジング(１０)は、内部に配置スペースが形成される殼體であり、前記配置スペースは、マザーボード配置スペース(Ａ)と、メモリ装置配置スペース(Ｂ)及び電源配置スペース(Ｃ)とに分けることが出来る。
【００１３】
また、前記したマザーボード(２０)は、一つの回路基板であって、その上に既にプロセッサー、メモリ、画像処理回路等の作業ユニットが配置されており、かつ前記マザーボード(２０)は前記ハウジング(１０)内の前記マザーボード配置スペース(Ａ)に配置される。
【００１４】
また、前記したメモリユニット(３０)は、一つ又は複数のハードディスク装置であってもよい。また、前記メモリユニット(３０)は前記ハウジング(１０)内の前記メモリ装置配置スペース(Ｂ)に配置されると共に前記マザーボード(２０)に電気的に接続される。
【００１５】
また、前記したパワーサプライ(４０)は、前記ハウジング(１０)内の前記電源配置スペース(Ｃ)に配置され、且つ前記パワーサプライ(４０)は前記マザーボード(２０)と前記メモリユニット(３０)に電気的に接続されることによって、前記マザーボード(２０)と前記メモリユニット(３０)の動作に必要な電源を供給することができる。
【００１６】
また、図２と３に示すように、前記した制御ユニット(５０)は前記ハウジング(１０)内に設けることができ、且つ対応して前記マザーボード(２０)、前記メモリユニット(３０)及び前記パワーサプライ(４０)に電気的に接続されることによって、起動信号を受けた時に先ずその一方の前記パワーサプライ(４０)を駆動して前記メモリユニット(３０)の起動動作の瞬間に必要な電圧とその後の動作用の電源とを供給させ、そして他方の前記パワーサプライ(４０)を駆動して前記マザーボード(２０)の起動動作の瞬間に必要な電圧とその後の動作用電源を供給させる。
【００１７】
本考案のデュアル電源のホスト装置は、その設計上の空間配置の変化によって、分離的に電源供給機能を備える二つのパワーサプライ(４０)を提供し、系統ホスト起動の瞬間に、まずその一方のパワーサプライ(４０)により前記メモリユニット(４０)に電源が与えられ、その後、他方のパワーサプライ(４０)により前記マザーボード(２０)に対し電源が与えられる。この手段により、ホスト起動電圧の変化が過大でパワーサプライ(４０)の負荷を加重させ、系統の使用寿命を低下させるのを避けられる。また、このような設計は、元々必要な一つの高いワット数のパワーサプライが二つの一般のワット数のパワーサプライ(４０)に取り替えられるため、設備コストの節約にとって大きなアドバンテージである。何故なら、一般的に、高ワット数のパワーサプライの値段は二つの一般のワット数のパワーサプライを遥かに超えているためである。このほか、複数の電子部品それぞれに必要な電圧を安定的に出力し、系統全体の安定性を高めることができるため、内蔵して配置される電子部品の数が多すぎることが原因で系統電圧が不足又は不安定な事情を起こすのを心配する必要が無くなる。これは、従来の技術に及ばないメリットが見られる。
【符号の説明】
【００１８】
１０    ハウジング
２０    マザーボード
３０    メモリユニット
４０    パワーサプライ
５０    制御ユニット
Ａ      マザーボード配置スペース
Ｂ      メモリ装置配置スペース
Ｃ      電源配置スペース
【図１】
0003174581.tif 000003
【図２】
0003174581.tif 000004
【図３】
0003174581.tif 000005